(57)【特許請求の範囲】
【請求項１】
枠型表示装置の枠型装飾パネルの前面化粧パネルの裏面に形成されたリブと、前記リブを挿通するために前記枠型表示装置の前面キャビネットに形成された取付開口部と、前記取付開口部に挿通したリブの挿通端部に装着されるクリップと、前記取付開口部の近傍位置の前面キャビネット裏面に設けられるクリップストッパとを有し、  前記クリップは、リブとクリップストッパとによって狭持されて前面キャビネット裏面と平行な方向に拘束され、前記リブは前面キャビネット裏面と垂直方向に前記クリップによって拘束されることを特徴とする前面化粧パネルと前面キャビネットとの取付構造。
【請求項２】
前記リブの挿通端部は拡大部を有し、前記拡大部が前記クリップに設けられた前記拡大部と相似形の断面形状を有する装着部に装着される請求項１に記載の前面化粧パネルと前面キャビネットとの取付構造。
【請求項３】
前記拡大部の正面である立ち壁面とリブ側面とを同一平面に形成する請求項２に記載した前面化粧パネルと前面キャビネットとの取付構造。
【請求項４】
前記リブの中間部及び／又は基端部側面表面を曲面にしてなる請求項１〜請求項３のいずれか一に記載した前面化粧パネルと前面キャビネットとの取付構造。
【請求項５】
前記装着部は、リブとクリップストッパとによって狭持可能な一側壁を有し、その一側壁の対向部は前記リブの挿通端部を挿通可能な開口とされる請求項２に記載の前面化粧パネルと前面キャビネットとの取付構造。
【請求項６】
前記装着部は、前記リブの前記拡大部に係止する係止部を有する請求項２に記載の前面化粧パネルと前面キャビネットとの取付構造。
【請求項７】
前記クリップストッパは前面キャビネット裏面に形成された一つもしくは複数個の突起部である請求項１〜請求項４のいずれか一に記載した前面化粧パネルと前面キャビネットとの取付構造。
【請求項８】
前記クリップは前記取付開口部を被覆する筐体とされ、前記取付開口部に前記リブの拡大部を挿通して前記クリップを装着した状態で、前記取付開口部を遮蔽する遮蔽部を前記クリップが有する請求項１〜請求項５のいずれか一に記載した前面化粧パネルと前面キャビネットとの取付構造。
【請求項９】
前記拡大部が台形状又は円形状又はＨ字型状である請求項２又は請求項３に記載した前面化粧パネルと前面キャビネットとの取付構造。
【請求項１０】
前記クリップは黒色またはそれに近い色彩とされる請求項１〜請求項５のいずれか一に記載した前面化粧パネルと前面キャビネットとの取付構造。
【請求項１１】
請求項１〜請求項５のいずれか一に記載した前面化粧パネルと前面キャビネットとの取付構造を備える枠型装飾パネル。
【請求項１２】
枠型表示装置の枠型装飾パネルの前面化粧パネルの裏面に形成されたリブと、前記リブを挿通するために前記枠型表示装置の前面キャビネットに形成された取付開口部と、前記取付開口部に挿通したリブの挿通端部に装着されるクリップと、前記取付開口部の近傍位置の前面キャビネット裏面に設けられるクリップストッパとを用い、  前記リブとクリップストッパとによって前面キャビネット裏面と平行な方向に前記クリップを狭持させて拘束し、前面キャビネット裏面と垂直方向に前記リブを前記クリップによって拘束することを特徴とする枠型装飾パネルの前面化粧パネルと前面キャビネットとの取付方法。
【発明の詳細な説明】
【技術分野】
【０００１】
本発明は薄型表示装置の枠型装飾パネルに用いられる前面化粧パネルと前面キャビネットとの取付構造およびその取付構造を備える枠型装飾パネル及び前面化粧パネルと前面キャビネットとの取付方法に関する。
【背景技術】
【０００２】
近年、プラズマテレビや液晶テレビなど、薄型大画面高画質テレビが普及している。また、これらのテレビには、前面キャビネットに光沢性、透明性のある前面化粧パネルを取り付け、外観の美しさや高級感、上質感の向上を狙った商品が増えてきている。
この前面化粧パネルを取り付ける方法として、従来は両面粘着テープが使用されていた（特許文献１参照）。また、前面キャビネットの凹レールと、前面化粧パネルの凸レールを噛み合わせて固定させる方法もある（特許文献２参照）。
【先行技術文献】
【特許文献】
【０００３】
【特許文献１】特開２００３−００５２７６号公報
【特許文献２】特許公開２００８−３００９７５
【発明の概要】
【発明が解決しようとする課題】
【０００４】
特許文献１に開示されたように両面粘着テープで、前面キャビネットに前面化粧パネルを貼り付ける場合、両面テープによって厚みが増し、前面から接着部分が透けて見えることが懸念される。
【０００５】
また、特許文献２に開示されている前面キャビネットの凹レールと、前面化粧パネルの凸レールを噛み合わせて固定する方法では、前面化粧パネルが透明であれば液晶部からの光モレが生じる可能性がある。
【０００６】
以上の従来技術における問題に鑑み、本発明は、プラズマテレビや液晶テレビなど薄型表示装置の前面キャビネットに前面化粧パネルを取り付ける際、意匠性を損なわず、分解・解体を容易に行え、リサイクル性に優れた前面化粧パネルと前面キャビネットとの取付構造およびその取付構造を備える枠型装飾パネル及び前面化粧パネルと前面キャビネットとの取付方法を提供することを目的とする。
【課題を解決するための手段】
【０００７】
本発明の前面化粧パネルと前面キャビネットとの取付構造は、枠型表示装置の枠型装飾パネルの前面化粧パネルの裏面に形成されたリブと、前記リブを挿通するために前記枠型表示装置の前面キャビネットに形成された取付開口部と、前記取付開口部に挿通したリブの挿通端部に装着されるクリップと、前記取付開口部近傍位置の前面キャビネット裏面に設けられるクリップストッパとを有し、前記クリップは、リブとクリップストッパとによって狭持されて前面キャビネット裏面と平行な方向に拘束され、前記リブは前面キャビネット裏面と垂直方向に前記クリップによって拘束されることを特徴とする。
【０００８】
前記リブの挿通端部は拡大部を有し、前記拡大部が前記クリップに設けられた前記拡大部と相似形の断面形状を有する装着部に装着されるようにすることができる。
【０００９】
前記装着部は、リブとクリップストッパとによって狭持可能な一側壁を有し、その一側壁の対向部は前記リブの挿通端部を挿通可能な開口とされるようにしてもよい。
【００１０】
前記装着部は、前記リブの前記拡大部に係止する係止部を有するようにしてもよい。
【００１１】
前記クリップストッパは前面キャビネット裏面に形成された一つもしくは複数個の突起部であるようにすることができる。
【００１２】
前記クリップは前記取付開口部を被覆する筐体とされ、前記取付開口部に前記リブの拡大部を挿通して前記クリップを装着した状態で、前記取付開口部を遮蔽するようにしてもよい。
【００１３】
前記拡大部が台形状又は円形状であるようにすることができ、また前記クリップは黒色またはそれに近い色彩とされてもよい。
【００１４】
以上の前面化粧パネルと前面キャビネットとの取付構造によって枠型装飾パネルを作成することができる。
【００１５】
また本発明の枠型装飾パネルの前面化粧パネルと前面キャビネットとの取付方法は、枠型表示装置の枠型装飾パネルの前面化粧パネルの裏面に形成されたリブと、前記リブを挿通するために前記枠型表示装置の前面キャビネットに形成された取付開口部と、前記取付開口部に挿通したリブの挿通端部に装着されるクリップと、前記取付開口部近傍位置の前面キャビネット裏面に設けられるクリップストッパとを用い、前記リブとクリップストッパとによって前面キャビネット裏面と平行な方向に前記クリップを狭持させて拘束し、前面キャビネット裏面と垂直方向に前記リブを前記クリップによって拘束することを特徴とする。
【００１６】
さらに本発明の枠型装飾パネルの前面化粧パネルと前面キャビネットとの取付方法は、枠型表示装置の枠型装飾パネルの前面化粧パネルの裏面に形成されたピンと、前記ピンを挿通するために前記枠型表示装置の前面キャビネットに形成された取付開口部と、前記取付開口部に挿通したピンの挿通端部に装着される押し込みナットとを用い、前記ピンを前記押し込みナットによって狭持して拘束することを特徴とする。
【図面の簡単な説明】
【００１７】
【図１】本発明の一実施の形態の前面化粧パネルと前面キャビネットとの取付構造を実施してなる枠型装飾パネルの正面図である。
【図２】図１に示す枠型装飾パネルの部分分解斜視図である。
【図３】（ａ）図１に示す枠型装飾パネルの部分斜視図である。（ｂ）図１に示す枠型装飾パネルの部分正面図である。（ｃ）本発明の他の実施の形態の枠型装飾パネルの部分正面図である。（ｄ）本発明のさらに他の実施の形態の枠型装飾パネルの部分正面図である。（ｅ）本発明のまた別の実施の形態の枠型装飾パネルの部分斜視図である。（ｆ）同じく部分正面図である。
【図４】図１に示す枠型装飾パネルの他の部分斜視図である。
【図５】（ａ）図１に示す枠型装飾パネルのさらに他の部分斜視図である。（ｂ）図１に示す枠型装飾パネルの部分正面図である。（ｃ）図３（ｅ）（ｆ）に示す枠型装飾パネルの他の部分斜視図である。（ｄ）同じく他の部分正面図である。
【図６】（ａ）図１に示す枠型装飾パネルのさらに別の部分斜視図である。（ｂ）図１に示す枠型装飾パネルの部分断面図である。
【図７】図１に示す枠型装飾パネルのまた別の部分斜視図である。
【図８】本発明の他の実施の形態の前面化粧パネルと前面キャビネットとの取付方法を実施するための部品の斜視図である。
【図９】本発明の他の実施の形態の枠型装飾パネルの前面化粧パネルと前面キャビネットとの取付方法の説明斜視図である。
【発明を実施するための形態】
【００１８】
図１は枠型表示装置である液晶テレビ１に装着した枠型装飾パネル２の外観を示す。    図２は前面キャビネット３及び前面化粧パネル４を液晶テレビ１の本体部分から分離した状態の外観を示す。液晶テレビ１には前面キャビネット３が取り付けられ、さらに前面キャビネット３の前面には前面化粧パネル４が取り付けられる。
【００１９】
前面キャビネット３は、液晶テレビ１の内部機構（図示せず）を収納、保護するためのキャビネットの前面側を構成する。また、液晶テレビ１の表示部（図示せず）を露出させるため、開口部３ａを有する枠型形状にされる。
【００２０】
前面化粧パネル４は、液晶テレビ１の外観の美観を向上させ、高級感を出すために前面キャビネット３のさらに前面側に取り付けられ、前面キャビネット３とほぼ同一の開口部４ａを有する枠型形状にされる。
【００２１】
図３（ａ）（ｂ）に示すように前面化粧パネル４の裏面にはリブ５が形成される。
リブ５の取付開口部６に挿通される挿通端部は拡大部５ａを有する。すなわちリブ５基端部から径が縮小する中間部分５ｂを介してそのさらに先端部は拡大部５ａとされる。本実施の形態では挿通端部は中間部分５ｂから拡大部５ａに向けて逆台形状とされる。また図３（ｃ）（ｄ）に示すようにリブ５基端部から径が縮小する中間部分５ｂを介してそのさらに先端部は拡大部５ａに至部分の側面形状は、拡大部５ａを略円形状としてもよく、さらには側面Ｈ字型状の形状を有するようにしても良い。
【００２２】
図３（ｅ）（ｆ）に示すようにリブ５の中間部５ｂ及び／又はリブ５基端部５ｃの側面表面を曲面にすることで、曲面でない場合に生じる稜線を無くして、前面化粧パネル４前面からリブ５の輪郭を見えにくくすることができる。また拡大部５ａの正面である立ち壁面５ｄとリブ５側面から段差なく同一平面に形成することでやはり前面化粧パネル４前面からリブ５の輪郭を見えにくくすることができる。
【００２３】
図４に示すように前面キャビネット３には前面化粧パネル４のリブ５に相応する位置に取付開口部６が設けられる。すなわち前面キャビネット３と前面化粧パネル４を重ね合わせた際にリブ５が前面キャビネット３の取付開口部６を挿通する位置関係で前面化粧パネル４の裏面にはリブ５が形成され、一方前面キャビネット３には取付開口部６が形成される。
【００２４】
さらに取付開口部６に挿通したリブ５の挿通端部には図５に示すクリップ７が装着される。また図４、図６に示すように取付開口部６近傍位置の前面キャビネット３裏面には複数個の突起部であるクリップストッパ８が設けられる。
なお前面キャビネット３に前面化粧パネル４を取り付けるためのリブ５、取付開口部６とクリップストッパ８は、前面キャビネット３及び前面化粧パネル４のサイズに適合させてそれぞれの全体の複数の位置に配置される。
【００２５】
クリップ７は、リブ５の拡大部５ａと相似形の断面形状を有する装着部７ａを有する。なお、図５（ａ）（ｂ）は図３（ａ）（ｂ）に示すリブ５の形態に対応するクリップ７の形態を示し、図５（ｃ）（ｄ）は図３（ｅ）（ｆ）に示すリブ５の形態に対応するクリップ７の形態を示す。
装着部７ａは、リブ５とクリップストッパ８とによって狭持可能な一側壁７ｂを有し、その一側壁７ｂの対向部はリブ５の挿通端部を挿通可能な開口部とされ、一側壁７ｂに連続する両側壁７ｃはリブ５の拡大部５ａに係止する係止部とされる。
【００２６】
本実施の形態では以上のクリップ７は取付開口部６を被覆する筐体とされ、取付開口部６にリブ５の拡大部５ａを挿通してクリップ７を装着した状態で、取付開口部６を遮蔽する。またかかるクリップ７は黒色またはそれに近い色彩とされる。
【００２７】
以上の本発明の一実施の形態の取付構造によれば次のようにして前面化粧パネル４と前面キャビネット３との取付が行われる。
図６で示すように、前面化粧パネル４と前面キャビネット３を重ね合わせることによって取付開口部６に挿通されるリブ５の台形型挿通端部をクリップ７の開口部から装着部７ａに収納する。この際、取付開口部６から覗くリブ５と、クリップ７の開口部とを位置合わせし、クリップ７を前面キャビネット３裏面上に微かにこすれる様にスライドさせ、リブ５とクリップストッパ８とによって前面キャビネット３裏面と平行な方向にクリップ７の装着部７ａの一側壁７ｂを狭持させて拘束する。
一方取付開口部６にリブ５の拡大部５ａを挿通しクリップ７を装着した状態では、クリップ７の一側壁７ｂに連続する両側壁７ｃはリブ５の拡大部５ａに係止するので、リブ５は前面キャビネット３裏面と垂直方向にクリップ７によって拘束される。したがって、前面化粧パネル４を前面キャビネット３から引き離す方向に力が加えられても分解することはない。
【００２８】
またクリップ７は取付開口部６を被覆する筐体とされかつ黒色またはそれに近い色彩にされており、取付開口部６にリブ５の拡大部５ａを挿通してクリップ７を装着した状態で、クリップ７は取付開口部６を遮蔽する。したがって液晶テレビ１に装着される前面キャビネット３側からの光モレを防ぐことができる。
またクリップ７をリブ５に装着するにあたっては特別な器具を必要とせずに着脱が可能である。そのため組立てや分解が容易であり、リサイクル性にも優れている。
【００２９】
なお本発明の取付構造及び取付方法を適用する対象となる枠型表示装置は液晶テレビ１に限られずパソコンやノートパソコンのモニターなど広く適用することができる。
【００３０】
図８、図９は本発明の他の実施の形態の枠型装飾パネル２の前面化粧パネル４と前面キャビネット３との取付方法に関する斜視図である。
本実施の形態では図８、図９に示されるように枠型表示装置の枠型装飾パネルの前面化粧パネル４の裏面に形成されたピン９と、ピン９を挿通するために枠型表示装置の前面キャビネット３に形成された取付開口部６と、取付開口部６に挿通したピン９の挿通端部に装着される金属製又は樹脂製の押し込みナット１０とを用い、ピン９を押し込みナット１０によって狭持して拘束して前面化粧パネル４と前面キャビネット３とを取付て枠型装飾パネル２とする。
【００３１】
押し込みナット１０は前面キャビネット３に当接する当接部１０ａと当接部１０ａ一体なカバー１０ｂとよりなり、全体が半円断面を有する形状とされる。また当接部１０ａには孔状の装着部７ａが形成され、その装着部７ａに取付開口部６を挿通したピン９の端部が挿通されて押し込みナット１０によってピン９が固定される。
【符号の説明】
【００３２】
１・・・液晶テレビ、２・・・枠型装飾パネル、３・・・前面キャビネット、４・・・前面化粧パネル、５・・・リブ、５ａ・・・拡大部、６・・・取付開口部、８・・・クリップストッパ、７・・・クリップ、７ａ・・・装着部、７ｂ・・・一側壁、７ｄ・・・両側壁。
【図１】
0005784350.tif 000002
【図２】
0005784350.tif 000003
【図３】
0005784350.tif 000004
【図４】
0005784350.tif 000005
【図５】
0005784350.tif 000006
【図６】
0005784350.tif 000007
【図７】
0005784350.tif 000008
【図８】
0005784350.tif 000009
【図９】
0005784350.tif 000010